(57)【要約】本発明は、壁４にある開口３を閉鎖するドア装置に係わり、第１可撓性ドア１７と、少なくとも１つの硬質下縁部１７を有する第２ドア２とを有し、各ドア１、２が、開位置と閉位置の間で上下動でき、第２ドア２が、開位置に向かって上昇中に、壁４と第２ドア２の硬質下縁部１７の間にスロット３１を作るように構成されたドア装置に関する。可撓性ドア１は、少なくとも部分的に第２ドア２と壁４との間に配置され、第２ドア２が開位置にある時に、閉位置と開位置との間でスロット３１を通して動くことができる。
2005527720.tif 000002
【特許請求の範囲】
【請求項１】
第１可撓性ドア（１）と、少なくとも１つの硬質底縁部（１７）を有する第２ドア（２）とを含み、これらのドア（１、２）の各々に開位置と閉位置の間で上下方向の動作を与えることができ、前記第２ドア（２）は、該第２ドア（２）が開位置に向かって上方に動くと、その硬質底縁部（１７）と壁（４）との間にスリット（３１）を作るように構成され、前記可撓性ドア（１）は、少なくとも部分的に前記第２ドア（２）と前記壁（４）の間に配置され、この可撓性ドア（１）は、前記第２ドア（２）が開位置にある時、開位置と閉位置の間で前記スリット（３）を通して変位できる組合せ式ドアにおいて、
前記第２ドア（２）が開位置にあり、前記可撓性ドア（１）が閉位置にある時に、後者が前記第２ドア（２）の底縁部（１７）にもたれて支持されることを特徴とする壁（４）の間口（３）を閉鎖する組合せ式ドア。
【請求項２】
前記第２ドア（２）が開位置にあり、前記可撓性ドア（１）が閉位置にある時に、前記可撓性ドアが、間口（３）よりも上の前記壁（４）に接触し、この接触を維持して前記シールを形成するために、一方では前記壁（４）と前記可撓性ドア（１）の間でシールを形成し、他方では前記第２ドア（２）の底縁部（１７）にもたれて支持されることを特徴とする請求項１に記載された壁（４）の間口（３）を閉鎖する組合せ式ドア。
【請求項３】
前記可撓性ドア（１）に、前記可撓性ドア（１）の事実上全幅に亘って延在する密閉部材（２６）を設け、これは、前記可撓性ドア（１）が閉位置にある時に、前記可撓性ドア（１）と前記間口（３）よりも上位にある前記壁（４）との間に延在して、前記壁（４）と前記ドア（１）との間でシールを形成することを特徴とする請求項１または請求項２に記載された壁（４）の間口（３）を閉鎖する組合せ式ドア。
【請求項４】
前記可撓性ドア（１）の事実上全幅に沿って延在する密閉部材（２６）を有し、これは、前記可撓性ドア（１）が閉位置にある時に、前記可撓性ドア（１）と前記第２ドア（２）の前記底縁部（１７）との間に延在して、前記可撓性ドア（１）が前記壁（４）と前記底縁部（１７）の間で締めつけられることを特徴とする請求項１から請求項３までのいずれか１項に記載された壁（４）の間口（３）を閉鎖する組合せ式ドア。
【請求項５】
前記密閉部材（２６）は、前記可撓性ドア（１）が閉位置にある時に、前記壁（４）と前記可撓性ドア（１）との間に延在するフラップ（２７）であることを特徴とする請求項３または請求項４に記載された組合せ式ドア。
【請求項６】
前記密閉部材（２６）が、弾性材料で形成された厚肉化された部分（２８）であり、前記第２ドアが開位置にあり、前記可撓性ドア（１）が閉位置にある時に、前記厚肉化された部分が前記壁（４）と前記第２ドア（２）の前記底縁部（１７）との間で締めつけられることを特徴とする請求項３または請求項４に記載された組合せ式ドア。
【請求項７】
前記第２ドア（２）が開位置にある時に、前記可撓性ドア（１）が閉位置または開位置に向かって変位する間、前記間口（３）よりも上の前記壁（４）および／または前記第２ドア（２）の前記底縁部（１７）に設けた案内表面にもたれて支持されることを特徴とする請求項１から請求項６までのいずれか１項に記載された組合せ式ドア。
【請求項８】
前記第２ドア（２）の前記底縁部（１７）に前記案内表面（２５）を設け、それによって可撓性ドア（２）が上下動する間、前記底縁部（１７）上で滑動することを特徴とする請求項７に記載された組合せ式ドア。
【請求項９】
前記間口（３）よりも上位にある前記壁（４）に前記案内表面（２５）を設け、それによって前記可撓性ドア（１）が上下動する間、前記壁（４）に対して滑動できることを特徴とする請求項７または請求項８に記載された組合せ式ドア。
【請求項１０】
前記案内表面が少なくとも１つのシリンダ（２５）を有し、その軸線は、前記可撓性ドア（１）が上下動する間、その変位方向に対して事実上横方向に延在することを特徴とする請求項８または請求項９に記載された組合せ式ドア。
【請求項１１】
前記可撓性ドア（１）がシャッター（９）を含み、その側縁部（７、８）が、前記壁（４）と前記第２ドア（２）の前記底縁部（１７）の間の前記スリットを通る案内トラック（５、６）に対して案内されることを特徴とする請求項１から請求項１０までのいずれか１項に記載された組合せ式ドア。
【請求項１２】
前記案内トラック（５、６）が、前記間口（３）内に、または、後者の前記第２ドア（２）に向かう側とは反対の側に、少なくとも部分的に延在することを特徴とする請求項１１に記載された組合せ式ドア。
【請求項１３】
前記案内トラック（５、６）が前記壁（４）に対して弾性的および／または旋回可能に配設されていることを特徴とする請求項１１または請求項１２に記載された組合せ式ドア。
【請求項１４】
前記第２ドア（２）が閉位置にある時に、前記案内トラック（５、６）が、前記壁（４）と前記第２ドア（２）の間でシールを構成していることを特徴とする請求項１１から請求項１３までのいずれか１項に記載された組合せ式ドア。
【請求項１５】
壁（４）の間口（３）を閉鎖する組合せ式ドアが、第１可撓性ドア（１）と、少なくとも１つの硬質底縁部（１７）を有する第２ドア（２）とを有し、これらのドア（１、２）の各々に開位置と閉位置との間で上下方向の動作を与えることができ、前記第２ドア（２）は、該第２ドア（２）が開位置へ向かって上方に動く時、前記硬質底縁部（１７）と前記壁（４）の間にスリット（３１）を形成するように構成され、前記可撓性ドア（１）は、少なくとも部分的に前記第２ドア（２）と前記壁（４）の間に配置され、前記可撓性ドア（１）は、前記第２ドア（２）が開位置にある時、開位置と閉位置との間でスリット（３）を通して変位することができる前記組合せ式ドアにおいて、
前記第２ドア（２）が開位置にあって、前記可撓性ドア（１）が閉位置に向かって、または、開位置に向かって変位する間、前記間口（３）よりも上にある壁（４）および／または前記第２ドア（２）の前記底縁部（１７）に設けた案内表面にもたれて支持されることを特徴とする組合せ式ドア。
【請求項１６】
前記第２ドア（２）の前記底縁部（１７）に前記案内表面（２５）を設け、それによって前記可撓性ドア（２）が、上下方向に動く間、前記底縁部（１７）上で滑動できることを特徴とする請求項１５に記載された組合せ式ドア。
【請求項１７】
前記間口（３）よりも上にある前記壁（４）に前記案内表面（２５）を設け、それによって前記可撓性ドア（１）が、上下方向に動く間、前記壁（４）に対して滑動できることを特徴とする請求項１５または請求項１６に記載された組合せ式ドア。
【発明の詳細な説明】
【技術分野】
【０００１】
本発明は、壁の間口を閉鎖する一組のドアに係わり、このドアは、第１可撓性ドアと、硬質底縁部を有する第２ドアとを含み、開位置と閉位置との間での上下動で、これらのドアをそれぞれ変位させることができ、第２ドアは、開位置に向かう上方向動作の間に底縁部が壁から離れ、壁と第２ドアの底縁部との間にスリットを作るように構成される。
【背景技術】
【０００２】
前記第２ドアは、例えば、相互に関節式に接続された連続する複数の硬質分節部材で形成される分節式ドアの形態で提供される。この第２ドアが閉位置にある時、分節部材および底縁部が壁に当接し、開位置では、間口の上に位置する壁の一部分とドアの底縁部との間にスリットが生じる。
【０００３】
現在知られている組合せ式ドアは、比較的扱いにくく、複雑な構造である。さらに、このような公知組合せ式ドアは、可撓性ドアが閉位置にあって、第２ドアが開位置にある時に、密閉した閉鎖が得られない。特に、隙間が残り、それを通して昆虫、空気流または埃が、この組合せ式ドアによって閉鎖された包囲室内に入り込む。実際には、満足できる密閉がなされる組合せ式ドアを作ることは、比較的複雑である。
【０００４】
米国特許第２５０１４５４号が、２つのドアを組合せたものについて記載しており、これはそれぞれ、開放できるように、ドラムに巻きつけられている。ドラムを囲む間口の上にハウジングを装着することにより、壁とこれらの組合せ式ドアとの間にシールを設けようと試みられてきた。当然、このようなハウジングの装着は比較的複雑であり、これらのドアの一方をドラムに巻きつけていない場合、このようなハウジングを使用することは不可能である。これは、第２ドアが、硬質ドアであるか、または、分節式ドアである場合に当てはまる。
【発明の開示】
【発明が解決しようとする課題】
【０００５】
本発明の基本目的の一つは、扱いにくさが軽減され、極めて簡単な構造の組合せ式ドアを提案することである。さらに、この組合せ式ドアは、その組合せのうちの一方を閉鎖した時に、完全な密閉がなされる非常に効果的で簡単な方法を提供すべきである。
【課題を解決するための手段】
【０００６】
そのため、本発明は、少なくとも部分的に前記第２ドアと前記壁との間に配置構成される可撓性ドアを提案するものであり、この可撓性ドアは、第２ドアが開位置にある時に、前記スリットを通して閉位置と開位置との間で変位可能である。
【０００７】
本発明により提案される組合せ式ドアの特別な一実施形態では、前記第２ドアが開位置にあり、前記可撓性ドアが、閉位置または開位置へ変位する間、後者は変位しながら、間口の上にある壁および／または第２ドアの底縁部に設けた案内表面で支持される。
【０００８】
本発明の特別な一実施形態では、可撓性ドアがシャッターを有し、その側縁部が、壁と第２ドアの底縁部との間の前記スリットを通る案内トラックに対して案内される。
【０００９】
前記可撓性ドアが閉位置にある状態で、前記第２ドアが開位置にある時、可撓性ドアは、間口の上の壁と接触して壁と可撓性ドアとの間にシールを作り、他方では、前記接触を維持することによって前記シールを作るために、第２ドアの底縁部に当接して支持される。
【００１０】
実用的な目的のために、案内トラックは、閉位置にある時に、壁と前記第２ドアとの間にシールを作る。
【００１１】
本発明により提案される組合せ式ドアの実用的な一実施形態では、第２ドアの底縁部に案内表面を設け、それにより可撓性シャッターを有するドアは、可撓性シャッターが上下動する際に、前記底縁部上で該可撓性シャッターが滑動する。
【００１２】
間口の上に位置する壁に案内表面を設け、これによって、可撓性シャッターを有するドアは、可撓性シャッターが上下動する際に、前記壁に対して該可撓性シャッターが滑動する。
【００１３】
本発明により提案される組合せ式ドアの極めて実用的な一実施形態では、可撓性シャッターを有するドアに、可撓性ドアのほぼ全幅に亘って延在する密閉部材を設け、これは可撓性ドアが閉位置にある時に、該可撓性ドアと間口の上に位置する壁との間に延在して、壁と可撓性ドアとの間にシールを作る。
【００１４】
実用的な方法として、可撓性ドアに、そのほぼ全幅に亘って延在する密閉部材を設け、これは、可撓性ドアが閉位置にある時に、可撓性ドアと第２ドアの底縁部との間に延在して、可撓性ドアが壁と前記底縁部との間で締めつけられる。
【００１５】
本発明のその他の細目および特徴は、本発明によって提案される組合せ式ドアに関する各種の特別な実施形態について、添付図面を見ながら行なう以下の説明で明らかになるだろう。なお、この説明は発明を限定するためのものではない。
【実施例】
【００１６】
同一または類似部材を示すために、異なる図面で同じ符号を使用した。
【００１７】
広い意味で、本発明は、壁の間口を閉鎖する組合せ式ドアに関するものである。この組合せ式ドアは、そのドアのうちの一方が他方のドアの開放中に間口を閉鎖できるように、前後に配置構成された第１可撓性ドアおよび第２ドアを有する。
【００１８】
このような組合せ式ドアを使用することは、前記第２ドアが硬質ドアであり、閉位置と開位置との間の、その変位が比較的低速である状況で、特に実用的である。この間口を通過する人または通行が比較的高密度である場合、この硬質ドアの開閉は、多大な時間の損失を招く。この硬質ドアの開放を待つ必要があるからである。比較的高速で開閉できる可撓性ドアが存在するので、この欠点が解消される。したがって、比較的高い通行量が予想される場合は、硬質ドアを開位置に配置し、交通がないことが予想される夜間にはこのドアを閉位置に配置する。
【００１９】
可撓性ドアを使用することは、このようなドアが比較的小さい装着スペースしか必要としない限り、追加の利点を有する。
【００２０】
好適には、可撓性ドアがシャッターを有し、シャッターで間口を閉鎖できるように、その側縁部が間口の各側に設けた案内トラックと協働する。「シャッター」という言葉は、本発明の範囲内では、薄い厚さの平面部材で、少なくとも部分的に柔軟、可撓性であり、選択的に、キャンバス、蚊またはその他の昆虫を閉め出す網、プラスチック材料の細片、ターポリン、格子または金属シート等の１つまたは複数の横方向の補強材がある部材を意味するものとする。
【００２１】
しかし、例えばキャンバスの形態で提供される可撓性シャッターに特に言及することを指摘しておかなければならない。
【００２２】
したがって、図面はキャンバスで構成されたシャッターを示し、その側縁部に、次々に関節式に接続したビードまたは連続する複数の小硬質ブロックを設ける。
【００２３】
図１〜図３は、本発明により提案された組合せ式ドアの第１実施形態を示し、可撓性ドア１および硬質ドア２を有し、これは壁４の間口３の閉鎖に使用できる。
【００２４】
可撓性ドア１は、シャッター９、および間口３の各側に延在する２つの案内トラック５、６を有し、シャッター９の側縁部７、８は、このシャッター９が閉位置と開位置との間で変位するにつれて案内される。間口３より上位にドラム１０を設け、シャッター９は開位置に動作するにつれ、その周囲に巻きつけられ、閉位置に変位するにつれ、そこから巻き出される。そのために駆動手段を設けると有利であるが、これは図示されていない。
【００２５】
案内トラック５、６は、シャッター９が閉位置へと変位するにつれ、これらの案内トラック５、６が自動的に相互に向かって動作し、その間の距離がシャッター９の幅に対応することを保証するよう、壁４に対して弾性係合する状態で装着することが好ましい。可撓性ドア１が開き、したがってシャッター９がドラム１０の周囲に巻きつけられている場合、案内トラック５、６は、間口３内に無いように、その弾性的な装着によって或る距離だけ離れるように自動的に後退する。
【００２６】
相互に続けて関節で接続された分節部材１１の連続体を有する分節式ドアとして設けられた硬質ドア２は、主に、可撓性ドア１が、一方ではこの硬質ドア２と壁４の間に、他方では間口３と壁４の間に配置される。
【００２７】
複数の分節部材１１を相互に関節式に接続する箇所にローラ１２を設け、これを整合する案内トラック１３、１４で案内する。これらの案内トラック１３、１４は、間口３の各側でほぼ鉛直に延在し、間口３の頂部と同一水準で湾曲して、次に壁４に対して横方向に延在する。
【００２８】
可撓性ドア１の案内トラック５、６は、硬質ドア２の案内トラック１３、１４と壁４の間に配置される。
【００２９】
したがって、可撓性ドア１の案内トラック５、６は、図２で概略的に示すように、壁４と硬質ドア２との間に、後者が閉位置にある場合にシールを形成する。特に、硬質ドアが閉位置にある時に、分節部材１１の側縁部が、可撓性ドア１の案内トラック５、６にもたれて支持され、僅かに弾発性を有する材料で作成したこの案内トラック５、６を僅かに圧迫することが好ましい。
【００３０】
可撓性ドア１が開位置にある場合、シャッター９の底縁部１６は、硬質ドア２の頂部分節部材１１と壁４との間で間口３より上に配置され、それによって硬質ドアと間口３よりも上に位置する壁との間にシールを形成する。特に、シャッター１の底縁部１６は、壁４と硬質ドアのこれに対応する区間の間で、後者が閉位置にある場合に締めつけられる。この理由から、シャッター１の底縁部１６は、ほぼシャッター１の全幅に亘って延在する弾発性ビードを有することが好ましい。
【００３１】
硬質ドア２が開くにつれ、このドアの底縁部が壁４から僅かに離れ、したがって壁４と硬質ドア２の底縁部１７の間にこのように生成されたスリット３１を通して、可撓性ドアのシャッター９を容易に変位させることができる。したがって、このスリット３１は、硬質ドア２の開放時にのみ現れ、このドアの閉鎖時には存在しない。
【００３２】
硬質ドア２が開位置にあり、可撓性ドア１が閉位置にある場合は、間口３の密閉したクロージャを提供する位置に後者があることが重要である。そのために、硬質ドアが開位置にある場合に、後者の底縁部１７の領域に延在するシャッター１の部分は、この底縁部１７に当てて支持することができる。したがって、これによりシャッター９と間口３より上にある壁との間に空間が形成されることが防止される。このような空間は、例えば空気の流れまたはわずかな圧力が加えられた場合に、シャッター９が間口３より上で壁から離れた場合に形成されることがある。
【００３３】
可撓性ドアが閉位置にある場合に、シャッター９が間口３より上で壁４と永久的に接触することを保証するため、シャッター１のほぼ全幅に亘って延在する案内表面をこの壁４に設けると有利である。この案内表面は、厚肉化された部分１８の形態で設けられ、例えばシャッター１が壁４と接触する間口３より上の箇所に配置される。その結果、この厚肉化された部分は、一方ではシャッターが開閉するにつれ、シャッター９が最小の摩擦で滑動することを保証し、他方では、シャッター９と壁４との間にシールを提供する。
【００３４】
同様に、硬質ドア２の底縁部１７に案内表面を設けて、シャッター９が上下するにつれてシャッター９がこの底縁部１７上を滑動できるようにする。
【００３５】
図４〜図１１は、本発明により提案された組合せ式ドアの第２実施形態を示し、これは従来通りの分節式ドアおよび可撓性ドア１を有し、後者の案内トラック５および６が間口３内に装着される。これは図６、図７および図８に図示されている。
【００３６】
可撓性ドアの案内トラック５、６は、特に中心の横材によって長手方向にて相互に連結された２つの平行なフランジを伴う型出し区間を有し、この区間はＨ字形の断面を有する。一方のフランジの縁部は、２本の通路１９および２０を形成するよう、他方のフランジの対面する縁部に向かって屈曲する。シャッター９の対応する縁部７または８は、可撓性ドア１の開閉中に、これらの通路１９の一方内で変位することができ、他方の通路２０には装着用細片２１を固定する。
【００３７】
この装着用細片２１は、壁４の間口３に装着する。図面で図示するように、装着用細片２１は側縁部２２、２３を有し、これは、これらの縁部２２と２３の間に配置された細片の部分より厚い。装着用細片２１は、装着用細片２１が装着用押縁２４と壁との間で締めつけられるよう、装着用押縁２４によって壁の縁部２３の間口３内にある領域に装着される。装着用細片２１の他方の縁部２２は、前記区間の対応する通路２０内に保持される。
【００３８】
装着用細片２１は、エラストマ、ポリプロピレンまたはポリウレタンなど、可撓性材料および好ましくは弾性材料から作成する。前記区間は、この区間がわずかに屈曲して、撓み、シャッターにかかる一様な張力を維持することができるよう、比較的可撓性の材料から作成することが好ましい。
【００３９】
可撓性ドア１および硬質ドア２が開放している場合、図８で示すように、装着用細片２１は間口３の外側に位置するよう拡張する。
【００４０】
シャッター９の下方向の動作によって可撓性ドア１を閉鎖している場合、その幅は間口３の幅より短く、間口３の２つの側部における区間が相互に対して徐々に近づき、対応する装着用細片２１が撓む。これは図７で示される。装着用細片２１は拡張する傾向があるので、シャッター９は閉位置にある場合は常に、ほぼピンと張っている。
【００４１】
シャッター９の上方向の動作によって可撓性ドア１を開放している場合、装着用細片２１は、図に示すように、徐々にその拡張位置に復帰する。
【００４２】
可撓性ドア１が開放し、硬質ドアが閉位置にある場合、図６に示すように、装着用細片２１は撓み、硬質ドア２の分節部材１１の表面に対して前記区間で支持される。したがって、装着用細片２１およびこの区間は、壁４と硬質ドア２との間にシールを形成する。
【００４３】
図５、図１０は、硬質ドアが開位置にあり、可撓性ドアが閉位置にある状態で、本発明により提案された組合せ式ドアを示す。硬質ドア２の底縁部１７には、シリンダ２５の形態の案内表面を設け、これは任意選択でその回転軸を中心に回転することができ、ほぼシャッター９の幅に対応する距離に亘って、この底縁部１７に沿って延在する。実用的な方法で、このシリンダ２５は、同軸ローラの連続体の形態で提供される。この案内表面によって、シャッター９は、シャッター９が閉位置または開位置へと移動するにつれ、最小の摩擦で硬質ドア２のこの底縁部１７に対して滑動することができる。
【００４４】
また、シャッター９は、閉鎖時にこの案内表面に当たって、または特にシリンダ２５に当たって支持され、シャッター９と間口３より上に位置する壁４の部分との間に空間が形成されることを防止する。
【００４５】
間口３より上に位置する壁４のこの部分には、シリンダ２５の形態で案内表面も設け、この上でシャッター９は、閉位置または開位置へと変位するにつれ、滑動することができる。
【００４６】
一方では、シャッター９と硬質ドア２の底縁部１７との間に、他方では、シャッター９と間口３より上に位置する壁４との間にシールが設けられることを保証するために、シャッター９に密閉部材２６を設ける。この密閉部材２６は、硬質ドア２が開位置にあり、可撓性ドア１が閉位置にある場合に、前者の底縁１７にシャッター９が対面するポイントで、ほぼ後者の全幅に亘って延在する。
【００４７】
したがって、この密閉部材２６は、硬質ドアの底縁部１７と間口３より上にある壁４の部分との間で締めつけられ、したがって所望のシールを提供する。
【００４８】
密封要素２６は、図１２で非常に概略的に示すように、圧縮可能なフラップ２７の形態で設けることができる。このフラップ２７は、シャッター９がドラム１０に巻きつけられるにつれ、間口３を開くために平らになり、シャッターがドラム１０から閉位置へと巻き出されるにつれ、最初の形状に戻る。
【００４９】
図１３は、密閉部材２６の代替実施形態を示す。密閉部材は特に、弾性材料から作成したビード２８で構成され、これは、第２ドアが開位置にある場合に、壁と第２ドアの底縁部との間で締めつけられ、前記可撓性ドアは閉位置にある。
【００５０】
シャッター９が上方向および下方向の動作で変位できるように、図７で非常に概略的に示すようにシャッターの側縁部に沿って延在するラック３０と協働するラック・ホィール２９で構成された駆動手段を設ける。ラック・ホィール２９は、硬質ドア２の案内トラック１３、１４の上に位置し、図示されていない電気モータによって制御される。
【００５１】
可撓性ドア１の案内トラック５、６は、このラック・ホイール２９の近傍にある領域までも延在する。シャッター９の幅はシャッター９を案内する案内トラック５、６間の距離より短いので、これらの案内トラック５および６は、可撓性ドア１および硬質ドア２がその開位置にある場合、間口３とラック・ホイール２９との間の領域で一緒にわずかに捻れる。シャッター９の底部分および底縁部１６は常に、案内トラック５および６内に保持される。これは図１１、図１４で概略的に図示される。図１４の一点鎖線は特に、可撓性ドア１の案内トラックの路を示し、間口３は破線で図示される。
【００５２】
可撓性ドア１を開放するにつれ、図４〜図１１で非常に概略的に示すように、シャッター１をドラムに巻きつけるか、シャッター９を硬質ドアの案内トラック１３、１４の水平部分より上に延在させることができる。
【００５３】
非常に実用的な方法で、本発明により提案された組合せ式ドアは、少なくとも１つの剛性の底縁部を有する既存のドアを使用して設定することができる。たとえば、分節式ドアを間口の前に設ける場合、この既存のドアと壁の間に可撓性ドアを装着することが可能である。特に、上方向の動作を分節式ドアに与えて、これを開位置にする場合、この分節式ドアは壁から離れ、したがって間口より上の壁と開位置にあるドアの底縁部との間にスリットを生成する。このスリットは、一般的に１〜４ｃｍのオーダーの幅である。
【００５４】
本発明により提案された組合せ式ドアは、次に分節式ドアの底縁部と壁の間口より上に位置する部分との間で前記スリットを通して延在する可撓性ドアの２つの案内トラックを、間口の各側に装着することにより設定される。分節式ドアが開位置にある場合に、シャッターを閉位置と開位置との間で前記スリットを通して変位できるよう、シャッターを巻きつけるためのドラムを、例えば間口の上の壁に装着する。
【００５５】
したがって、分節式ドアと協働し、分節式ドアが開位置にある場合に後者の下にある通路の元の高さを維持する可撓性ドアを装着する。
【００５６】
図１５〜図１９は、このような組合せ式ドアを示す。図１５、図１６で示すように、分節式ドア２が閉位置にある場合、これは間口３の周囲で壁４に対して延在し、この壁４と分節式ドア２との間にシールを形成する。分節式ドア２が上方向に動作して開位置になると、このドアの分節部材１１は徐々に壁４から離れる。その結果、上記で説明したように、分節式ドアが開位置になると、図１７、図１８で示すように壁４と底縁部１７との間にスリットが形成される。
【００５７】
可撓性ドア１の案内トラック５および６が前記スリット３１を通して延在し、シャッター９が閉位置と開位置との間で上下に動作するにつれ、スリット３１を通して変位するよう、キャンバスの形態のシャッター９を有する可撓性ドア１を、分節式ドア２と壁４との間に装着する。
【００５８】
図１５〜図１９に示した本発明の実施形態では、可撓性ドア１の案内トラック５および６を、図４〜図１１に関して説明したのと同じ方法で装着する。
【００５９】
分節式ドア２が閉位置にある場合、このドアの頂部分節部材１１’は、壁４に対して僅かに傾斜する。したがって、壁４とこの頂部分節部材１１’との間に空間が形成され、これを通して可撓性ドア１の案内トラック５、６が延在する。
【００６０】
頂部分節部材１１’の上縁部３３には、分節式ドア２が開位置にある場合に、この分節部材１１’に沿って後者と壁４との間に延在する可撓性シール３２を設ける。分節式ドア２の閉鎖時には、このシールは、図１７で概略的に示すように、可撓性ドア１の案内トラック５および６が壁４と分節式ドア２との間の空間を通過するポイントで、弾力的に変形する。したがって、可撓性ドア１の案内トラック５、６が、この分節部材１１’と壁４との間に配置されていても、第２ドアの頂部分節部材１１’と壁４との間にシールが獲得される。
【００６１】
当然、分節式ドア２が閉位置にある場合に、頂部分節部材１１’は必ずしも壁４に対して傾斜する必要はない。例えば、分節式ドア２が閉位置にある場合に、案内トラック５、６と可撓性ドア１の領域で、後者を収容するこの頂部分節部材１１’または壁４に、切り取り部を設けてもよい。
【００６２】
壁４と分節式ドア２の底縁部１７との間のスリット３１を使用して、可撓性ドア１のシャッター９を案内するので、ドラム１０を有する可撓性ドア１用の駆動手段を、分節式ドア２の上に装着してよい。したがって、分節式ドア２より下で間口３を通る通路の元の高さは、本発明により提案されたような可撓性ドアを装着することによって減少しない。
【００６３】
図２０は、本発明により提案されたような組合せ式ドアの別の実施形態を示す。この組合せ式ドアは、可撓性ドア１と、例えばガレージなどを閉鎖するのに使用するような従来の旋回式ドアで特に構成された硬質ドア２とを有する。この硬質ドア２が閉鎖している場合、これは密閉した配置構成で間口３の壁４と一致し、図２０に示すようにこの硬質ドア２が開放している場合は、後者の硬質底縁部１７と、間口３の上に位置する壁４の部分との間にスリット３１が見える。
【００６４】
案内トラック５、６は間口３に装着され、前記スリット３１を通して延在する。可撓性ドア１のシャッター９が、開位置と閉位置との間で変位すると、後者が硬質ドア２の底縁部１７に当たって、および間口３よりも上の壁４に当たって支持される。したがって、シャッター９はスリット３１を通して案内される。
【００６５】
本発明により提案された組合せ式ドアの代替実施形態では、可撓性の密閉フラップを設け、これを第２ドア２の硬質底縁部１７に沿って装着する。第２ドアが開位置にある場合、このフラップが、硬質底縁部１７と壁４との間のスリット３１を密閉する。可撓性ドア１のシャッター９が下方向に動作して閉位置になると、このフラップは、シャッター９の底縁部１６の作用によって撓み、したがって後者は壁４とフラップの間で案内される。
【００６６】
第２ドアが閉位置にある場合、フラップはこのドアの底縁部１７と地面との間にシールを形成する。
【００６７】
当然、本発明は、添付図面で図示した前記実施例に制限されず、本発明の範囲から逸脱することなく、他の変形が想定可能である。
【００６８】
例えば、前述した型出し区間と装着用細片２１とは一体部片でよい。
【００６９】
記載された実施例は、全て、第１可撓性ドアと、分節式ドアまたは旋回式ドアとして設けた第２ドアとを有する組合せ式ドアに関するが、この第２ドアは、剛性または半剛性の底縁部を有する任意のタイプのドアでよいことが明白である。特に、この第２ドアは、例えば剛性の底縁部を有する可撓性ドアでもよい。
【００７０】
特定の状況では、可撓性ドアの案内トラック５または６は、ビードの形態で提供され、シャッター９の対応する側縁部７または８がそれに一致する。
【図面の簡単な説明】
【００７１】
【図１】分節式ドアが閉位置にあり、可撓性ドアが開位置にある状態で、本発明により提案された第１実施形態の組合せ式ドアを示す断面図である。
【図２】図１で示した線ＩＩ−ＩＩを通る断面図である。
【図３】分節式ドアが開位置にあり、可撓性ドアが閉位置にある、図１に示したものと同一の断面図である。
【図４】分節式ドアが閉位置にあり、可撓性ドアが開位置にある状態で、本発明により提案された第２実施形態の組合せ式ドアを示す断面図である。
【図５】分節式ドアが開位置にあり、可撓性ドアが閉位置にある、図４で示したものと同一の断面図である。
【図６】図４で示した線ＶＩ−ＶＩに沿う拡大断面図である。
【図７】図５に示した線ＶＩＩ−ＶＩＩに沿う拡大断面図である。
【図８】可撓性ドアと分節式ドアが開位置にある、図６および図７のそれと同一の断面図である。
【図９】図４に示した組合せ式ドアの間口より上にある部分を示す詳細図である。
【図１０】図５に示した組合せ式ドアの間口より上にある部分を示す詳細図である。
【図１１】可撓性ドアおよび分節式ドアが開位置にある、図４から図１０に示して本発明により提案された組合せ式ドアの実施形態を示す間口より上の部分の詳細図である。
【図１２】可撓性ドアにフラップを設け、閉位置にした、組合せ式ドアを示す間口より上にある部分の詳細図である。
【図１３】可撓性ドアに厚肉化された部分を設け、閉位置にした、組合せ式ドアを示す間口より上にある部分の詳細図である。
【図１４】本発明の第２実施形態として提案される組合せ式ドアの非常に概略的な前面図である。
【図１５】第２ドアが閉位置にあり、可撓性ドアが開位置にある状態で、本発明により提案された別の実施形態の組合せ式ドアを示す断面図である。
【図１６】図１５に示した線ＸＶＩ−ＸＶＩに沿う断面図である。
【図１７】図１５に示した線ＸＶＩＩ−ＸＶＩＩに沿う断面図である。
【図１８】分節式ドアが開位置にあり、可撓性ドアが閉位置にある、図１５から図１７に示した組合せ式ドアの断面図である。
【図１９】図１８に示した線ＸＩＸ−ＸＩＸに沿う断面図である。
【図２０】旋回ドアおよび可撓性ドアを有する、本発明により提案された組合せ式ドアを示す断面図である。
【図１】
2005527720.tif 000003
【図２】
2005527720.tif 000004
【図３】
2005527720.tif 000005
【図４】
2005527720.tif 000006
【図６】
2005527720.tif 000007
【図５】
2005527720.tif 000008
【図７】
2005527720.tif 000009
【図８】
2005527720.tif 000010
【図１１】
2005527720.tif 000011
【図９】
2005527720.tif 000012
【図１０】
2005527720.tif 000013
【図１２】
2005527720.tif 000014
【図１３】
2005527720.tif 000015
【図１４】
2005527720.tif 000016
【図１５】
2005527720.tif 000017
【図１６】
2005527720.tif 000018
【図１７】
2005527720.tif 000019
【図１８】
2005527720.tif 000020
【図１９】
2005527720.tif 000021
【図２０】
2005527720.tif 000022
【国際調査報告】
2005527720.tif 000023
2005527720.tif 000024
2005527720.tif 000025
2005527720.tif 000026
2005527720.tif 000027
2005527720.tif 000028